(57)【要約】【課題】  マニュアルにて各種パラメータを設定する際に、要する操作数および時間を低減し、撮影準備動作から撮影動作への移行をスムーズに行うことができる撮像装置および撮像操作方法を提供する。【解決手段】  検知手段が、タッチパネルの表面の押圧を検知する。取得手段が、検知手段の検知するタッチパネルの押圧が所定のしきい値未満である間に、タッチパネルの押圧に関わる条件を取得する。設定手段が、検知手段の検知するタッチパネルの押圧がしきい値以上になると、取得手段により取得されたタッチパネルの押圧に関わる条件に基づいて、撮影のパラメータを設定する。撮像手段が、設定手段により設定された撮影のパラメータに基づいて撮像を行う。【選択図】      図１
2006078663.tif 000002
【特許請求の範囲】
【請求項１】
タッチパネルの表面の押圧を検知する検知手段と、
前記検知手段の検知するタッチパネルの押圧が所定のしきい値未満である間に、タッチパネルの押圧に関わる条件を取得する取得手段と、
前記検知手段の検知するタッチパネルの押圧が前記しきい値以上になると、前記取得手段により取得されたタッチパネルの押圧に関わる条件に基づいて、撮影のパラメータを設定する設定手段と、
前記設定手段により設定された撮影のパラメータに基づいて撮像を行う撮像手段と
からなることを特徴とするカメラ。
【請求項２】
前記取得手段は、タッチパネルを押した位置のｘｙ座標、押圧量あるいは押下時間について取得する
ことを特徴とする請求項１に記載のカメラ。
【請求項３】
前記設定手段は、前記取得手段が取得した、ｘｙ座標、押圧量あるいは押下時間の大きさに応じて撮影のパラメータを設定する
ことを特徴とする請求項２に記載のカメラ。
【請求項４】
前記設定手段は、露出時間、露出絞り、フォーカス距離、ズーム・ワイド、ホワイトバランスあるいは画像品質のいずれかの撮影のパラメータを設定する
ことを特徴とする請求項３に記載のカメラ。
【請求項５】
前記設定手段は、前記取得手段が取得した押下時間の大きさに応じて露出時間を設定する
ことを特徴とする請求項３に記載のカメラ。
【請求項６】
前記設定手段は、前記取得手段が取得したｘ座標の大きさに応じて露出絞りを設定する
ことを特徴とする請求項３に記載のカメラ。
【請求項７】
前記設定手段は、前記取得手段が取得したｙ座標の大きさに応じてフォーカス距離を設定する
ことを特徴とする請求項３に記載のカメラ。
【請求項８】
前記取得手段が取得するタッチパネルの押圧に関わる条件と、該取得手段が取得した条件に基づいて前記設定手段が設定する撮影のパラメータとは、前記検知手段によりタッチパネルの表面の押圧が検知されるより前に対応付けられている
ことを特徴とする請求項３に記載のカメラ。
【請求項９】
前記取得手段が取得するタッチパネルの押圧に関わる条件と対応付けられていない撮影のパラメータは、オート設定とする
ことを特徴とする請求項８に記載のカメラ。
【請求項１０】
前記取得手段が取得するタッチパネルの押圧に関わる条件は、取得された値が所定の設定値未満の場合はその値に対応する撮影のパラメータをオート設定とし、前記設定値以上の場合は前記設定手段がその値の大きさに応じて撮影のパラメータを設定する
ことを特徴とする請求項３に記載のカメラ。
【請求項１１】
前記取得手段が取得するタッチパネルの押圧に関わる条件は、取得された値が所定の設定値を超える場合はその値に対応する撮影のパラメータをオート設定とし、前記設定値以下の場合は前記設定手段がその値の大きさに応じて撮影のパラメータを設定する
ことを特徴とする請求項３に記載のカメラ。
【請求項１２】
前記タッチパネルの押圧に関わる条件に応じた前記撮影のパラメータを画面上に表示する表示手段と
をさらに備えたことを特徴とする請求項３に記載のカメラ。
【請求項１３】
撮像装置に用いる表示画面に配置されたタッチパネルの表面を押圧することによって画面上の位置情報を入力するタッチパネル撮像操作方法であって、
最初に前記タッチパネルを押す際の押圧が所定のしきい値未満である間に撮影時の１つまたは複数のパラメータを設定する過程と、
前記タッチパネルを押す際の押圧が前記しきい値以上になると、前記パラメータを設定する過程で設定された条件下で撮影を行う過程と
からなることを特徴とするタッチパネル撮像操作方法。
【請求項１４】
前記パラメータを設定する過程においては、前記タッチパネルを押した位置情報として、ｘｙ座標、押圧量あるいは押下時間を検出することにより前記パラメータを設定することを特徴とする請求項１３に記載のタッチパネル撮像操作方法。
【請求項１５】
装置に設けられたタッチパネルの表面を押圧することによって画面上の位置情報を入力するタッチパネル操作方法であって、
タッチパネルを押す際の押圧が所定のしきい値未満である間に、入力された位置情報に基づいて、前記装置の設定条件についての１または複数のパラメータを設定する過程と、
前記タッチパネルを押す際の押圧が前記しきい値以上になると、前記パラメータを設定する過程で設定された条件で前記装置の設定を行う過程と
からなることを特徴とするタッチパネル操作方法。
【発明の詳細な説明】
【技術分野】
【０００１】
本発明は、タッチパネルを備えたカメラおよびそのカメラを使用した撮像操作方法に関する。
【背景技術】
【０００２】
デジタルスチールカメラに関し、液晶モニタの上面にタッチパネルが配置され、ユーザがタッチパネルをタッチすることにより撮影することのできるカメラ、およびタッチパネルの押圧の強弱を認識することで、撮影動作と撮影のための設定等を行う撮影準備動作とを区別することのできるカメラについて開示されている（例えば、特許文献１）。特許文献１によれば、タッチパネルをタッチすることで対象物を特定してそこにフォーカスや露出を合わせ、さらに撮影まで行うことができる。
【０００３】
タッチパネルからの入力によって撮影のための設定等を行うことのできるカメラとして、液晶モニタ上の操作入力の仕様をユーザがタッチパネルを用いて編集することができ、ユーザが使い易いインターフェースを提供することのできるカメラについても開示されている（例えば、特許文献２）。
【特許文献１】特開平１１−３５５６１７号公報
【特許文献２】特開２００３−３０２６８５号公報
【発明の開示】
【発明が解決しようとする課題】
【０００４】
特許文献１に開示の技術では、フォーカスや露出等の撮影条件を、ユーザが所望のタイミングで設定することはできない。オートフォーカスや自動露出補正に対してフォーカスや露出をマニュアルで設定することのできるカメラであっても、短期間に設定を変更して複数撮影する場合等には、ある設定をするのに複数の手順を経る必要がある。操作が煩雑であることによって、シャッターチャンスを逃さずにマニュアル設定を行うのは困難であった。
【０００５】
特許文献２に開示の技術では、フォーカスや露出の設定を行う際に設定のための操作回数を増やさないために、撮影動作の画面上にインターフェースが表示されるようにユーザが編集することができる。しかし、実際の設定の手順における操作回数は低減されておらず、同様にシャッターチャンスを逃さずにマニュアル設定を行うのは困難であった。
【０００６】
本発明は、マニュアルにて各種パラメータを設定する際に、要する操作数および時間を低減し、撮影準備動作から撮影動作への移行をスムーズに行うことができる撮像装置および撮像操作方法を提供することを目的とする。
【課題を解決するための手段】
【０００７】
上記目的を達成するために、本発明のカメラは、タッチパネルの表面の押圧を検知する検知手段と、前記検知手段の検知するタッチパネルの押圧が所定のしきい値未満である間に、タッチパネルの押圧に関わる条件を取得する取得手段と、前記検知手段の検知するタッチパネルの押圧が前記しきい値以上になると、前記取得手段により取得されたタッチパネルの押圧に関わる条件に基づいて、撮影のパラメータを設定する設定手段と、前記設定手段により設定された撮影のパラメータに基づいて撮像を行う撮像手段とを備えた構成とされる。
【０００８】
ユーザによりタッチパネルのある箇所が押下されると、取得手段により取得した条件に基づいて、撮影の際に設定されるパラメータの値が設定される。押圧が所定のしきい値以上になると、カメラの動作は、パラメータの設定を行う撮影準備動作から、画像撮影を行う撮影動作へと切り替えられる。ユーザの操作数および時間を減らしてマニュアル設定することが可能とされる。
【０００９】
取得手段は、タッチパネルを押下した位置の座標、押圧量あるいは押下時間についての条件を取得するのが好ましい。また、設定手段は、取得手段により取得されたｘｙ座標、押圧量あるいは押下時間に応じて撮影のパラメータを設定するのが好ましい。設定手段により設定されるパラメータは、露出時間、露出絞り、フォーカス距離、ズーム・ワイド、ホワイトバランスあるいは画像品質であってもよい。特に、タッチパネルの押下時間によって露出時間を設定することとしてもよいし、押下された位置のｘ座標によって露出絞りを設定することとしてもよい。ｙ座標によってフォーカス距離を設定することとしてもよい。
【００１０】
取得手段により取得されるタッチパネルの押圧に関わる条件と、押圧に関わる条件に基づいて設定される撮影のパラメータとは、撮影準備動作でタッチパネルが押下されるよりも先に対応付けられているのが好ましい。対応付けられていない撮影のパラメータは、オート設定とするのが好ましい。タッチパネルの押圧に関わる条件と対応付けられた撮影のパラメータについて、所定の設定値未満の場合はその値に対応する撮影のパラメータをオート設定とし、その設定値以上の場合は設定手段が撮影のパラメータを設定することとしてもよい。また、所定の設定値を超える場合はその値に対応する撮影のパラメータをオート設定とし、その設定値以下の場合は設定手段が撮影のパラメータを設定することとしてもよい。タッチパネルの押下により設定された撮影のパラメータの値をカメラの画面上に表示することとしてもよい。
【００１１】
また、上記目的を達成するために、本発明の撮像操作方法は、撮像装置に用いる表示画面に配置されたタッチパネルの表面を押圧することによって画面上の位置情報を入力するタッチパネル撮像操作方法であって、最初に前記タッチパネルを押す際の押圧が所定のしきい値未満である間に撮影時の１つまたは複数のパラメータを設定する過程と、前記タッチパネルを押す際の押圧が前記しきい値以上になると、前記パラメータを設定する過程で設定された条件下で撮影を行う過程とを備えた手順とする。
【００１２】
好ましくは、前記パラメータを設定する過程においては、前記タッチパネルを押した位置情報として、ｘｙ座標、押圧量あるいは押下時間を検出することにより前記パラメータを設定する。
【００１３】
また、上記目的を達成するために、本発明のタッチパネル操作方法は、装置に設けられたタッチパネルの表面を押圧することによって画面上の位置情報を入力するタッチパネル操作方法であって、タッチパネルを押す際の押圧が所定のしきい値未満である間に、入力された位置情報に基づいて、前記装置の設定条件についての１または複数のパラメータを設定する過程と、前記タッチパネルを押す際の押圧が前記しきい値以上になると、前記パラメータを設定する過程で設定された条件で前記装置の設定を行う過程とを備えた手順とする。
【発明の効果】
【００１４】
本発明のカメラおよび撮像操作方法によれば、タッチパネルの押圧により取得される値を用いて撮影のパラメータを設定することができ、押圧に応じて、撮影のパラメータを設定する撮影準備動作から、画像撮影を行う撮影動作に切り替えられる。これにより、ユーザが撮影のパラメータのマニュアル設定を行い、画像撮影する場合に要する操作数、時間が低減され、撮影準備動作から撮影動作への切り替えがスムーズになされ、ユーザにとってより簡便なカメラが提供される。
【発明を実施するための最良の形態】
【００１５】
以下、本発明の好適な実施の形態について、図面を参照しながら詳細に説明する。
図１は、本実施形態に係るデジタルスチールカメラ（以下ＤＳＣ）１の背面図である。本実施形態に係るＤＳＣ１は、背面に、被写体を撮影した画像を表示したり、各種設定画面を表示したりする液晶表示部４、被写体像を確認するファインダ５、ＤＳＣ１の電源オン状態を示すパワーＬＥＤ６、液晶表示部４に表示される各種設定画面上での操作データを入力する選択／決定ボタン９等が設けられ、ＤＳＣ１の上部には、ＤＳＣ１における撮影モードおよび操作モード等のモードを選択する選択ダイヤル８等が設けられている。
【００１６】
図２は、本実施形態に係るＤＳＣ１のブロック図である。ＤＳＣ１は、圧縮伸張エンジン１９、ＣＰＵ１１、ＲＯＭ１３、ＲＡＭ１４、画像を記録する記録媒体１８、ファイル管理部１７、外部Ｉ／Ｆ１６および図１の液晶表示部４を構成するＬＣＤ（液晶モニタ、ｌｉｑｕｉｄ  ｃｒｙｓｔａｌ  ｄｉｓｐｌａｙ）１５、タッチパネル２０、操作部１２および撮像装置２１から構成される。
【００１７】
撮像装置２１は、撮像レンズ、電荷結合素子（ＣＣＤ）等から構成され、画像の撮影処理を司る。ＣＰＵ１１からタッチパネル２０が押下されたことを通知されると、撮像レンズを介してＣＣＤ等の撮像素子上に結像された被写体像を、光電変換して電気信号変えた後Ａ／Ｄ変換を行い、デジタル撮像データにする。
【００１８】
撮影時には、圧縮伸張エンジン１９は、ＣＰＵ１１からの指示によりＲＡＭ１４内の撮像データをＣＰＵ１１が指定するフォーマットの画像へと圧縮する。圧縮された画像は、ＣＰＵ１１からの指示によりファイル管理部１７を通して記録媒体１８に記録される。
【００１９】
再生時には、圧縮伸張エンジン１９は、ＣＰＵ１１からの指示により記録媒体１８内の画像を、記録されているフォーマットに従い伸張する。伸張された画像データは、ＬＣＤ１５に再生される。
【００２０】
記録媒体１８は、スマートメディアを初めとする半導体メモリ、あるいは磁気メモリ、ハードディスク等の磁気ディスク、ＣＤ、ＤＶＤ等の光ディスク、ＭＯ等の光磁気ディスク、あるいは上記の組み合わせ、等であってもよい。あるいは、記録媒体１８は単数である必要はなく、複数の記録媒体からなっていても構わない。
【００２１】
記録媒体１８に格納された複数の画像データは、ＬＣＤ１５に縮小されて表示ができ、選択／決定ボタン９を用いて所望の画像データを図示しないＰＣ（パーソナルコンピュータ）等からコピーしたり、ＰＣに保存させたりすることができるようになっている。
【００２２】
図１の液晶表示部４は、ＬＣＤ１５上にタッチパネル２０が重ねられた構成であり、ユーザは、例えばＬＣＤ１５上にユーザインタフェースが表示されているとき、タッチパネル２０の、表示されているユーザインタフェースに対応する箇所を押下することで、選択や決定がなされる。
【００２３】
図３は、液晶表示部４のタッチパネル１５の押下する様子を模式的に示した図である。同図の上側から、ユーザがタッチパネル２０を押下する。図中×印の箇所を押下した場合、例えば液晶表示部４の左上をｘｙ座標の原点とし、×の点の座標（ｘ、ｙ）を算出する。座標を算出する技術については公知であるのでここでは省略する。ｘｙ座標に加えて、タッチパネル２０を押す力である押圧ｚ、タッチパネル２０を押した時間（以下、押下時間とする）ｔについても検出する。以下、ｘ座標、ｙ座標、押圧ｚおよび押下時間ｔを、押下パラメータとする。
【００２４】
本実施形態に係るＤＳＣ１は、タッチパネル２０の押下パラメータについて、フォーカス距離や露出時間等の、撮影時に用いられるパラメータ（以下、撮影パラメータとする）と対応付けて管理する。ここでの対応付けての管理とは、一の押下パラメータの値が設定されることで一の撮影パラメータの設定値が決定されるよう、押下パラメータ、撮影パラメータおよびそれぞれの値を管理することを言う。押下パラメータの値は、例えば、ｘ座標については、タッチパネル２０の左上を原点として実際のスケールに基づいて座標値を与えることとしてもよいし、タッチパネル２０の左辺を０％、タッチパネル２０の右辺を１００％として、タッチパネル２０の相対的な位置により与えることとしてもよい。ｙ座標についてはｘ座標と同様に与えられる。押圧ｚについては、例えば、認識し得る下限値から上限値について、実際の押圧の大きさによって与えることとしてもよいし、あるいは下限値から上限値の範囲を０％から１００％の百分率に対応させて与えることとしてもよい。押下時間ｔについては、例えばタッチパネル２０を押下した時間のうち所定の範囲について撮影パラメータの設定に用いることとしてもよい。以下、タッチパネル２０の押圧により検出された押下パラメータの値と任意の撮影パラメータとの対応付けの方法について、図面を用いて詳細に説明する。
【００２５】
図４は、タッチパネル２０の押圧より得られる押下パラメータの値と、撮影パラメータの値とを対応付けた例である。同図において左欄の押下パラメータは、押下した箇所のｘ座標あるいはｙ座標のタッチパネル２０上においてそれぞれ左上の位置を原点（０％）として、百分率で表されている。中欄および右欄は、それぞれ撮影パラメータである露出絞り、フォーカス距離について、設定値の下限値から上限値までを表す。左欄の押下パラメータの値に対して、中欄および右欄の撮影パラメータの値が対応付けられている。
【００２６】
例えば図４の例においては、タッチパネル２０のｘ座標と露出絞りとを、ｙ座標とフォーカス距離とをそれぞれ対応付けている。同図においては、例えばｘ座標の０％すなわちタッチパネルの２０の左端と、露出絞りｆ＝２．０とが、ｘ座標の５０％すなわちタッチパネル２０のｘ軸方向中央と露出絞りｆ＝２．８とが、ｘ座標の１００％すなわちタッチパネル２０の右端と露出絞りｆ＝４．０とがそれぞれ対応付けられる。ユーザが押下した位置ｘに応じて露出絞りｆの値が、同図のテーブルにより決定される。ｙ座標については、０％とフォーカス距離の２８［ｍｍ］が、５０％とフォーカス距離の８４［ｍｍ］が、１００％とフォーカス距離の無限遠がそれぞれ対応付けられる。
【００２７】
押下パラメータと対応付けてマニュアル設定とする撮影パラメータであっても、押下パラメータの値のうち所定の範囲内ではマニュアル設定とし、他の範囲についてはオート設定とすることもできる。図５は、撮影パラメータの設定値のうち、一部については押下パラメータと対応付けをせずにオート設定とする場合における、ｘｙ座標と割り当てられた撮影パラメータとを対応付けた図である。例えば、ｘ座標と対応付けられた露出絞りは、ｘ座標の値のうち、左端の０％の位置から中央の５０％未満の位置までが検出された場合はオート設定、５０％以上の値が得られた場合はマニュアル設定とされる。マニュアル設定の領域の撮影パラメータには、図５のテーブルの、ｘ座標の５０％以上の領域に対応する値が設定される。ｙ座標と対応付けられたフォーカス距離は、ｙ座標の値のうち、上端の０％の位置から２０％未満の位置までが検出された場合はオート設定、２０％以上の値が得られた場合はマニュアル設定とされる。マニュアル設定の領域の撮影パラメータには、図５のテーブルの、ｙ座標の２０％以上の領域に対応する値が設定される。
【００２８】
図６は、タッチパネル２０を押下した時間（押下時間ｔ）と、露出時間とを対応付けた例である。同図のテーブルにおいて、左欄はタッチパネル２０の押下時間ｔ［ｓｅｃ］、右欄は露出時間［ｓｅｃ］である。例えば、押下時間ｔ＝０．２［ｓｅｃ］に対して、露出時間として１／４０００［ｓｅｃ］が、押下時間ｔ＝０．７［ｓｅｃ］に対して露出時間として１／５０［ｓｅｃ］がそれぞれ対応付けられている。
【００２９】
図７は、押圧ｚの時間変化を模式的に表した図である。同図を用いて、押下時間ｔを取得する方法、および押圧ｚの変化に伴ってタッチパネル２０からの入力を各種撮影条件を設定する撮影準備動作から撮影動作へと切り替える方法について説明する。
【００３０】
時刻ｔ＝０から、ユーザがタッチパネル２０の押下を開始したとする。時刻ｔ＝ｔ1で、ユーザによるタッチパネル２０の押圧が、タッチパネル２０が押下されていることが検出されるしきい値ｔｈ１に達する。しきい値ｔｈ１は、タッチパネル２０の押圧が検知される下限値である。時刻ｔ＝ｔ1以降、ユーザにより押下されている位置のｘおよびｙ座標を取得する。時刻ｔ＝ｔ2にて、押下されている位置のｘｙ座標に対応付けられた撮影パラメータの値の設定が完了する。
【００３１】
時刻ｔ＝ｔ3で押圧ｚがしきい値ｔｈ２に達すると、ＤＳＣ１の動作が撮影準備動作から撮影動作へと切り替わる。しきい値ｔｈ２は、押圧がその値に満たないときは撮影準備動作を実行し、その値に達したときは撮影動作へと動作を切り替えを行うために設定された値である。押下時間に対応付けられた撮影パラメータが存在する場合には、タッチパネル２０の押下の検知が開始された時刻ｔ＝ｔ1からＤＳＣ１の動作が撮影動作に切り替わる時刻ｔ＝ｔ3までの間を、押下時間として値を設定する。時刻ｔ＝ｔ4にて、押下時間に対応付けられた撮影パラメータの値の設定が完了する。ｔ＝ｔ4から画像の撮影が行われる。
【００３２】
図８は、撮影準備動作において、タッチパネル２０の押下により取得される押下パラメータの値から撮影パラメータの値を設定するための他の方法を説明する図である。同図中時刻ｔ1、ｔ2およびｔ3については、図７と同様に定義されるものとし、ここではその説明を省略する。
【００３３】
図８で図７の方法と異なる点は、設定パラメータのうち、押下時間に対応付けられた撮影パラメータを設定するタイミングである。図７の例においては、押圧ｚが撮影準備動作から撮影動作に切り替わるしきい値ｔｈ２に達してから、押下時間ｔ（ｔ＝ｔ1からｔ3の時間）に対応する撮影パラメータの値を設定している。これに対し、図８の例においては、同図中で細線の矢印で示されるタイミングで、時刻ｔ1からの時間をサンプリングし、同図中太線の矢印で示されるタイミングで、サンプリングした時間に応じた撮影パラメータの値を設定する。押圧ｚが撮影動作に切り替わるしきい値ｔｈ２に達すると、直前の、図８で※で表されるタイミングにおける押下時間に基づいて設定された撮影パラメータの値を用い、撮影を行う。
【００３４】
押下パラメータ、押下パラメータと対応付けられた撮影パラメータおよび撮影パラメータの設定値等は、撮影動作に入る前の液晶表示部４のＬＣＤ１５に被写体が表示されているとき、被写体と共に表示される。図９Ａは、撮影準備動作において押下パラメータと対応付けられた撮影パラメータの値を表示した、液晶表示部４の一表示例である。画面の端部の４辺に、押下パラメータと対応付けられてマニュアル設定される撮影パラメータに関する情報が表示される。
【００３５】
例えば、ｘ座標と露出絞りとが対応付けられている場合、露出絞りの設定し得る値を示すバーが画面上端に表示される。画面中左端（ｘ＝０）から右端に向かって、図９Ａの例では図５で設定した対応する設定値が表示されている。ｘ座標が０％から５０％の位置は５０％以上とは異なる色でバーが表示され、この色分け表示は、ｘ座標が５０％未満の位置が押下された場合はオート設定とされていることを表している。ある時点におけるユーザがタッチパネル２０を押している箇所のｘ座標に対応させて、例えば本実施形態では黒色の三角形状の指示マーク（以下、指示マークとする）が表示されている。同図においては、ユーザがオート設定にて露出絞りを設定しようと、露出絞りについてはオート領域を押している。
【００３６】
図７、図８を参照して説明した押下時間ｔに基づいて値がマニュアル設定される露出時間については、例えば液晶表示部４の下端に表示される。図９Ａの例では露出時間についてはオート設定の領域は設定されていないので、下端の露出時間のバーは全領域同一の色で表示されている。ある時点におけるタッチパネル２０の押下時間に対応させて、例えば本実施形態では指示マークで値を表示している。タッチパネル２０を押下し続けるにつれて押下時間ｔの値は増大し、これに対応付けられた露出時間の設定値も大きくなり、指示マークの位置は右に移動する。
【００３７】
押圧ｚは、先に図７、図８で説明した通り、その大きさに応じて撮影準備動作から撮影動作へとその動作モードを移行する契機とされる。撮影動作を開始するタイミングは、液晶表示部４の右端に表示される。図９Ａの例では、上端からほぼ５０％の位置でバーが色分けされている。これは、タッチパネル２０の押圧のうち認識し得る下限値を画面の上端すなわち０％に、認識し得る上限値を下端すなわち１００％として、押圧が認識し得る範囲内でほぼ５０％の押圧で撮影準備動作から撮影動作に切り替えられることを表している。ある時点における押圧に対応させて、例えば本実施形態では指示マークで値を表示している。検出される押圧の大きさの変化に伴い、指示マークが上下に移動する。
【００３８】
なお、ｙ座標については、図９Ａの例では撮影パラメータが割り当てておらず、液晶表示部４には表示されていないが、もし対応付けられた撮影パラメータが存在する場合は、液晶表示部の左端にバーおよび撮影パラメータの設定値が表示される。
【００３９】
また、図９Ａの例は、撮影準備動作において、設定される撮影パラメータおよびその値を、設定し得る値の範囲と共に表示する例であって、バーや現在の撮影パラメータの値についての表示位置、その形態等については、これに限られない。
【００４０】
図９Ｂは、撮影準備動作において、押下パラメータと対応付けられた撮影パラメータを表示した、液晶表示部４の他の例である。同図に示される液晶表示部４の右下に、押下パラメータ、マニュアル設定される撮影パラメータおよびタッチパネル２０を押すことによる検出値に対応する設定値が表示されている。同図中の「動作」、「機能」、「値」は、それぞれユーザの押下の動作により値が与えられる押下パラメータ、「動作」に対応付けられ、機能を割り当てられた撮影パラメータ、撮影パラメータの設定値を表す。ある時点における設定値が表示され、時間変化によりタッチパネル２０の押圧される位置や押圧、押下時間等が変化すれば、表示される設定値もこれに伴い変化する。図９Ｂで表される時点においては、押下パラメータと対応付けられた露出絞り、露出時間および撮影動作に移行するタイミングについて、それぞれオート設定、１／１０秒および３０％の押圧であることを示している。なお、図９Ｂの例は、撮影準備動作において、設定される撮影パラメータおよびその値を数値表示する例であって、表示させる位置、形態等はこれに限られない。
【００４１】
図７あるいは図８の撮影準備動作から撮影動作へと切り替わる動作が実行されるよりも先に、タッチパネル２０の押下パラメータと、撮影パラメータとは予め対応付けられている。図１０は、押下パラメータと撮影パラメータとを対応付けるときにＤＳＣ１の液晶表示部４に表示される画面の一例である。押下パラメータに対し、撮影パラメータの機能を割り当てて対応付ける方法を以下に示す。
【００４２】
図１０の機能割り当て画面３０では、「ｘ座標機能」および「押した時間機能」についてはすでに撮影パラメータが対応付けられており、ユーザは、タッチパネル２０からの入力で、撮影パラメータとの対応付けが未設定のｙ座標について、撮影パラメータを割り当てようとしている。
【００４３】
機能割り当て画面３０の初期状態においては、例えば各押下パラメータに対応する撮影パラメータは「なし」と表示されている。図１０の例のように、ｘ座標、押下時間に対応する撮影パラメータを割り当てた後、ｙ座標について撮影パラメータを割り当てるために「ｙ座標機能」の項目が選択されると、撮影パラメータのうち、ｘ座標および押下時間にはまた割り当てられていない撮影パラメータが、機能割り当て画面３０の「ｙ座標機能」の右側に表示される。同図では、フォーカス距離を表す「フォーカス」項目が反転している。図示しないが、ユーザが「フォーカス」を選択すると、ｙ座標に対応する撮影パラメータとして、フォーカスのみが表示される。なお、機能割り当て画面３０の初期状態は、各押下パラメータに対応する撮影パラメータは「なし」と表示されている、と述べたが、これに限られない。例えば、初期状態においてはｘ座標に露出絞り、ｙ座標にフォーカス距離、押下時間に露出時間を割り当てておく等でもよい。
【００４４】
図１１は、撮影パラメータについて、押下パラメータとの対応付け関係を示したテーブルである。図１０の機能割り当て画面３０にてｘ座標及びｙ座標、押下時間に対して所望の撮影パラメータを設定すると、ＤＳＣ１内では、図１１のテーブルにて各撮影パラメータと押下パラメータとを対応させて管理する。同図においては、ｘ座標と露出絞り、ｙ座標とフォーカス距離、タッチパネルを押下した時間と露出時間が、それぞれ対応付けられている。図１０の画面で機能割り当てがされなかった撮影パラメータについては、オート設定とされる。図１１の機能割り当てでは、ズーム・ワイド、ホワイトバランスおよび画像品質の機能については、撮影時にはオートで設定される。
【００４５】
以上のように、撮影準備動作における撮影パラメータのマニュアル設定する処理および押圧の大きさに応じて撮影準備動作から撮影動作に移行する処理について、図１２から図１９Ａ、１９Ｂのフローチャートを用いてその手順を説明する。
【００４６】
図１２は、本実施形態に係るＤＳＣ１の撮影準備の基本動作についてのフローチャートである。まず、ステップＳ１で、押下パラメータと撮影パラメータとの対応付けが初期化されていないかを判定し、初期化されていない場合は、ステップＳ２で、ｘ座標、ｙ座標、押した時間を、それぞれ露出絞り、フォーカス距離、露出時間に割り当てて初期化を行う。図１０を参照して説明したように、すべて「なし」に設定する等でもよい。次に、ステップＳ３で、押下パラメータに、撮影パラメータを割り当てるメニューが選択されたかを判定する。Ｙｅｓ（同図ではＹ）の場合は、機能割り当てのプログラムを実行させることとして、ステップＳ４の処理が実行されるが、この処理については後述する。ステップＳ４の後、処理を終了する。一方、ステップＳ３でＮｏ（Ｎ）の場合は、ステップＳ５で動作モードが撮影動作モードであるか撮影準備動作モードであるかを判定し、撮影準備動作モードである場合はステップＳ３に戻る。撮影動作モードである場合は、まず撮影準備動作を実行する（ステップＳ６）。撮影準備動作については、後述する。撮影準備動作実行後、ステップＳ７で撮影準備動作がキャンセルされずに完了したか否かを判定し、完了している場合は、ステップＳ６で設定された値を利用して撮影を行って処理を終了する。撮影準備動作がキャンセルされている場合は処理を終了する。
【００４７】
図１３は、図１２のステップＳ４の機能割り当て処理についてのフローチャートである。同図を参照して、図１０の機能割り当て画面３０からタッチパネル２０を押す位置、押圧あるいはタッチパネル２０の押下時間と撮影パラメータとを対応付け、撮影準備動作においてマニュアル設定したい撮影機能を、押す位置等の押下パラメータに割り当てる処理について説明する。
【００４８】
機能割り当て処理では、まず、ステップＳ１１で、ＬＣＤ１５に、図１０の最上列に示される「タッチパネルを押す際の機能割り当て」等を表示させ、機能の割り当て、すなわち撮影パラメータの対応付けを実行させる画面であることを表示する。次に、ステップＳ１２で、押下パラメータのうち、例えば図１０のように「ｘ座標機能」、「ｙ座標機能」および「押した時間機能」を表示させる。ステップＳ１３では、ステップＳ１２で表示させた押圧パラメータに対応付ける撮影パラメータについて、既に割り当てられている撮影パラメータについては撮影パラメータの名称を、割り当てられていない場合は「なし」と表示させる。ステップＳ１４では、図１０中においては左側に表示された押下パラメータのうち、一番上の条件、本実施形態においては「ｘ座標機能」を反転表示させる。反転表示されている項目については、ユーザが設定可能な状態であることを表す。
【００４９】
ステップＳ１５では、反転表示される押下パラメータについて、ユーザが上下移動の入力をしたか否かが判定される。Ｙｅｓの場合、図１０の左側に表示された押下パラメータのうち、反転されている項目を入力に応じて上下に移動させる。例えば一番上のｘ座標についての項目である「ｘ座標機能」が反転表示されているときに、下に移動するよう入力された場合、中列の「ｙ座標機能」を反転表示させる、一方、上に移動するよう入力された場合、最下列の「押した時間機能」を反転表示させる。ステップＳ１５でＮｏの場合、処理は行わずにステップＳ１７に進む。
【００５０】
ステップＳ１７では、反転表示されている押下パラメータに撮影パラメータの割り当てを行うことについて、決定の指示がユーザよりあったか否かが判定される。ここでは、その押下パラメータについて撮影パラメータの対応付けを行うか否かが判定される。決定の指示があった場合は、ステップＳ１８で、撮影パラメータのうち、対応付けのされていないパラメータの全てを、画面上の反転表示された押下パラメータの右側に表示する。次に、ステップＳ１８で表示された撮影パラメータのうち、一番上欄に表示されている撮影パラメータを反転表示させる（ステップＳ１９）。ステップＳ２０では、反転表示された撮影パラメータについて、ユーザが上下移動の入力をしたか否かが判定される。Ｙｅｓの場合、反転表示されている撮影パラメータをユーザの入力に従って上下移動させてステップＳ２２に進む。ステップＳ２２では、反転表示されている撮影パラメータを対応付けることについて、決定の指示がユーザよりあったか否かが判定される。指示があった場合、ステップＳ２４で機能割り当て、すなわち反転表示されている押下パラメータとその右欄で反転表示されている撮影パラメータとを対応付ける処理が実行され、ステップＳ２６に進む。ステップＳ２２でＮｏの場合、ステップＳ２３でユーザより処理をキャンセルする指示がされているか判定され、指示がない場合はステップＳ２０の処理に戻り、キャンセル指示があった場合はステップＳ２５で、撮影パラメータのうち反転表示されているパラメータ以外を画面から削除、反転表示された撮影パラメータのみ表示し、ステップＳ２６に進む。
【００５１】
ステップＳ２６では、ユーザからキャンセルあるいは機能割り当て処理の終了の指示があったかが判定される。ない場合は、ステップＳ１５に戻り、先述の処理を繰り返す。あった場合は、ステップＳ２７で、機能割り当て画面３０を閉じて終了させ、機能割り当て処理を終了する。
【００５２】
図１４Ａは、図１２のステップＳ６の、撮影準備動作処理についてのフローチャートである。図１４Ａでは、図７の方法で押下時間に対応する撮影パラメータを設定する場合の撮影準備動作処理を示す。同図の処理ではまず、ステップＳ３１で、液晶表示部４のＬＣＤ１５に、図９Ａ、図９Ｂのように、押下パラメータ、撮影パラメータおよび撮影パラメータの設定値を示すためのバーや表等を表示する。ステップＳ３２では、タッチパネル２０の押圧ｚが検知下限値、すなわち図７のしきい値ｔｈ１に達したかが判定され、達するとステップＳ３３に進む。ステップＳ３３では、ユーザの押下している位置座標（ｘ、ｙ）の値を取得する。
【００５３】
ｘｙ座標を取得した後、ｘ座標に撮影パラメータが対応付けられているか判定し（ステップＳ３４）、Ｎｏの場合は処理を行わず、ステップＳ３９に進む。Ｙｅｓの場合は、取得されたｘ座標の値は撮影パラメータのオート設定領域であるか否かを判定する（ステップＳ３５）。マニュアル設定領域の場合はステップＳ３７で対応する撮影パラメータの値を求める。オート設定領域の場合はステップＳ３６で撮影パラメータについてオート設定を行う。ステップＳ３８では、画面上に設定された撮影パラメータの値を表示する。
【００５４】
ステップＳ３９からステップＳ４３の処理は、ｙ座標の値と対応付けられた撮影パラメータの値を設定する処理であるが、これについては、上記のｘ座標の値によりこれと対応付けられた撮影パラメータの値を設定するステップＳ３４からステップＳ３８にそれぞれ対応し、同様であるので省略する。
【００５５】
ステップＳ４４では、押下時間と対応付けられた撮影パラメータの有無を判定する。対応付けられた撮影パラメータが存在しない場合は処理を行わないが、存在する場合は、ステップＳ４５で押下時間に対応する撮影パラメータの値を画面に表示する。ステップＳ４６で、押圧の値を画面に表示する。
【００５６】
ステップＳ４７では、押圧が先に図７、図８を用いて説明したしきい値ｔｈ１を上回ったか判定し、Ｎｏの場合はステップＳ４８で押圧が検出下限値、すなわち図７のしきい値ｔｈ２未満となったか否かを判定する。Ｙｅｓの場合は撮影準備処理を中断することとして図１４Ａの処理を終了し、Ｎｏの場合は、ステップＳ４４以降の処理を繰り返す。
【００５７】
ステップＳ４７でＹｅｓの場合は、ステップＳ４９に進み、押下時間はオート領域に設定されているか否かが判定される。オート領域である場合、ステップＳ５０で押下時間に対応付けられた撮影パラメータについてオート設定して処理を終了し、撮影動作に移行する。押下時間がオート領域にない場合は、ステップＳ５１で押下時間の値から対応する撮影パラメータの値を求め、処理を終了し、撮影動作に移行する。
【００５８】
図１４Ｂは、図１２のステップＳ６の、撮影準備動作処理についてのフローチャートである。図１４Ａが図７の方法に対応しているのに対し、図１４Ｂでは、図８の方法で押下時間に対応する撮影パラメータを設定する場合における撮影準備動作処理を示す。
【００５９】
図１４Ｂで、ステップＳ６１からステップＳ７３までの処理は、図１４ＡのステップＳ３１からステップＳ４３までの処理とそれぞれ対応しており、同様であるのでここでは説明を省略し、ステップＳ７４以降の処理について述べる。
【００６０】
ステップＳ７４では押下時間に対応付けられた撮影パラメータが存在するか判定し、存在しない場合は処理を行わないが、存在する場合はさらにステップＳ７５でその押下時間が撮影パラメータのオート領域に対応するか否かが判定される。オート領域、マニュアル設定領域の場合、それぞれの方法でステップＳ７６、ステップＳ７７で撮影パラメータの値を設定し、ステップＳ７８で画面に値を表示する。
【００６１】
ステップＳ７９で、押圧を画面に表示する。ステップＳ８０では、押圧が図８のしきい値ｔｈ２を上回ったか判定され、Ｙｅｓの場合は処理を終了し、撮影動作に移行する。ステップＳ８０でＮｏの場合、押圧が図８のしきい値ｔｈ１未満となったか否かを判定する（ステップＳ８１）。ｔｈ１未満であることが検出された場合は、撮影準備動作を中断したとして処理を終了する。押圧がしきい値ｔｈ１以上である場合は、ステップＳ７４の処理に戻る。
【００６２】
図１５Ａは、液晶表示部４のＬＣＤ１５に、図９Ａの形式で撮影準備動作時の画面を表示させる処理のフローチャートである。まず、ステップＳ９１で、ＬＣＤ１５の右辺に目盛りを表すバーを表示し、バーの中央あたりに「押圧：撮影開始」と表示する。図７、図８のしきい値ｔｈ２に相当する位置にて、撮影準備動作を行う押圧の領域と撮影動作を行う押圧の領域とで、バーを色分け等をし、それぞれ動作モードを表示する。
【００６３】
ステップＳ９２で、先に表示させた押圧以外の押下パラメータ、すなわちｘ座標、ｙ座標および押下時間について、それぞれ表示位置を決定する。例えばＬＣＤ１５の上辺にはｘ座標、左辺にはｙ座標、下辺には押下時間を割り当てる。ステップＳ９３で、ｘ座標、ｙ座標および押下時間のうち、撮影パラメータの対応付けられていない押下パラメータが存在するか否かを判定する。存在しない場合はステップＳ９４に進み、ステップＳ９３で３つの押下パラメータについてそれぞれ対応付けられた撮影パラメータが存在するので、３つのパラメータそれぞれについて所定の位置にバー、目盛りおよび必要な文字情報等を、先の押圧についての表示と同様の形式で表示する。ステップＳ９３でＹｅｓの場合はステップＳ９５に進み、対応付けられた撮影パラメータの存在するものについてのみ、押圧の形式と同様に、バー、目盛りおよび必要な文字情報等を表示する。
【００６４】
ステップＳ９６では、ｘ座標、ｙ座標および押下時間について、オート設定とされる領域が設定されているか否かを判定する。オート領域が設定されていない場合は処理を行わないが、オート領域が一部設定されており、押下パラメータの値によってオートあるいはマニュアルでの撮影パラメータの値が設定される場合は、ステップＳ９７でオート領域について色分け表示等をする。ステップＳ９８で、ｘ、ｙ座標および押下時間について、マニュアル設定の領域について目盛りに数値を表示する。ステップＳ９９では、現在の設定値を表す印、例えば図９Ａでは黒色の三角形状の指示マークを、その先端がバーの対応する箇所に表示して処理を終了する。
【００６５】
なお、ステップＳ９１およびステップＳ９２で、押圧、ｘ座標、ｙ座標および押下時間について、それぞれＬＣＤ１５の右辺、上辺、左辺および下辺に表示したが、これに限られない。押下パラメータは、画面上の他の辺あるいは図９Ａとは異なる箇所に表示させてもよい。
【００６６】
図１５Ａの処理でＬＣＤ１５に図９Ａの画面を表示させた場合、表示されている各設定パラメータの現在取る値の表示の仕方を説明する。図１６Ａは、ｘ座標に対応付けられた設定パラメータの表示処理についてのフローチャートである。この処理は、図１４ＡのステップＳ３８の処理に対応する。図１６Ａでは、ステップＳ３８１で、取得したｘ座標に割り当てられた撮影パラメータの値を求め、この撮影パラメータの値に応じたバーの位置に上述の指示マークを移動させて処理を終了する。図１７Ａのｙ座標に対応付けられた設定パラメータについては、図１４ＡのステップＳ４３に対応し、ｘ座標についての処理と同様の処理であるので省略する。図１８Ａ、図１９Ａの押下時間、押圧に対応付けられた撮影パラメータについても同様の処理を行う。
【００６７】
図１５Ｂは、液晶表示部４のＬＣＤ１５に、図９Ｂの形式で撮影準備動作時の画面を表示させる処理のフローチャートである。まず、ステップＳ１０１で、ＬＣＤ１５の右下に、５行×３列の表を表示する。ステップＳ１０２で、１行１列の位置に「動作」、１行２列の位置に「機能」、１行３列の位置に「値」、１列の２行から５行にそれぞれ「ｘ座標」「ｙ座標」「時間」「押圧」とそれぞれ表示する。ステップＳ１０３で、押下パラメータのうちで、対応付けられた撮影パラメータが存在しないものがあるか判定し、全ての押下パラメータについて対応付けがされている場合は処理を行わないが、対応付けられた撮影パラメータのない押下パラメータが存在する場合は、ステップＳ１０４で、対応する押下パラメータの行の２列、３列に例えば「―」の記号を表示し、その押下パラメータについては撮影パラメータと対応付けられていないことを示す。図９Ｂでは、例えばｙ座標について撮影パラメータが存在しないことが表示されている。
【００６８】
ステップＳ１０５では、２列の２行から４行にそれぞれ対応付けられた撮影パラメータの名称を、２列５行には、撮影動作に移行する押圧を表示し、処理を終了する。図９Ｂでは例えば、認識し得る押圧の最大値から５０％の押圧で撮影動作に移行することが表示されている。
【００６９】
図１５Ｂの手順でＬＣＤ１５に図９Ｂの画面を表示させる場合における、表示されている各設定パラメータの現在取る値の表示の仕方を説明する。図１６Ｂは、ｘ座標に対応付けられた設定パラメータの表示処理についてのフローチャートである。この処理は、図１４ＢのステップＳ６８の処理に対応する。図１６Ｂでは、ステップＳ６８１で、取得したｘ座標に割り当てられた撮影パラメータの値を求め、この撮影パラメータの値に応じた数値を２行３列に表示して処理を終了する。図１７Ｂのｙ座標に対応付けられた撮影パラメータについては、ｘ座標についての処理と同様の処理で図１４ＢのステップＳ７３に対応し、３行３列に数値を表示して処理を終了する。図１８Ｂの押下時間に対応付けられた撮影パラメータについては、図１４ＢのステップＳ７８に対応し、４行３列に数値を表示して処理を終了する。図１９Ｂの押圧に対応付けられた撮影パラメータについては、図１４ＢのステップＳ７９に対応し、検知し得る最小の押圧を０％、最大を１００％として押圧を百分率で表し、５行３列に数値を表示して処理を終了する。
【００７０】
ところで、上記の実施形態では、図９Ａの画面では、撮影パラメータの値をユーザに対して表示しているが、これに限られない。例えば、被写体までの距離、明るさ、被写体の動く速度等の、撮影の環境に対する最適値をユーザが知らなくとも、具体的なイメージで設定しやすい表示にしてもよい。
【００７１】
例えば、フォーカス距離が遠い（例えば無限遠）ものから近いものについて順に、図９Ａの撮影準備動作の画面で、バーに例えば「風景／風景＆人物／ポートレート（人物）／マクロ／スーパーマクロ」の文字や色分け等により、それぞれ適したフォーカス距離の値に対応する箇所に表示する。マニュアル設定する場合に、ユーザが撮影しようとする画像に適したフォーカス距離を数値で把握していなくとも、バーに表示された具体的なシーンによって設定することができる。例えばユーザがポートレートに適したフォーカス距離は何メートルを設定するのが適当であるのかを知らなくとも、バーのポートレートに対応する領域を押下すれば、適切なフォーカス距離の値を設定することができる。
【００７２】
他の例として、明るさについてマニュアル設定するときのユーザに対して目安を示すために、明るいものから暗いものについて順に、バーに例えば「スノー＆ビーチ／晴れ／曇り／雨／夜景」の文字や色分け等で、それぞれ適した数値に対応する箇所に表示する。さらに他の例として、被写体の動きの速さに応じて露出時間をマニュアル設定するときの目安の表示として、露出時間の早いものから遅い（露出時間長い）ものについて順に、バーに例えば「スポーツ／風景、ポートレート（人物）／夜景」の文字や色分け等で、それぞれ適した数値に対応する箇所に表示する。いずれの場合も、ユーザは具体的に最適値を把握せずとも、適当な撮影パラメータを設定することができる。
【００７３】
以上説明したように、本実施形態に係るカメラによれば、マニュアルにて各種パラメータを設定する際に、要する操作数および時間が低減され、押圧により撮影準備動作から撮影動作への移行がスムーズになされる。このため、撮影準備動作において、ユーザはより簡便にパラメータの設定を行うことができる。
【図面の簡単な説明】
【００７４】
【図１】本実施形態に係るカメラの背面図である。
【図２】本実施形態に係るカメラのブロック図である。
【図３】タッチパネルの押下した位置、押圧および押した時間を説明する図である。
【図４】タッチパネルの押下した位置座標と、撮影のパラメータとの対応付けを説明する図である。
【図５】一部オート設定とする場合の、タッチパネルを押した位置座標と撮影のパラメータとの関係を説明する図である。
【図６】タッチパネルを押した時間と、撮影のパラメータとの対応付けを説明する図である。
【図７】押圧による動作モードの移行および押した時間の算出タイミングを説明する図（その１）である。
【図８】押圧による動作モードの移行および押した時間の算出タイミングを説明する図（その２）である。
【図９Ａ】撮影準備動作における画面の表示例である。
【図９Ｂ】撮影準備動作における画面の表示の他の例である。
【図１０】機能割り当て画面を示した図である。
【図１１】撮影パラメータの、動作割り当てを示した図である。
【図１２】カメラの基本動作のフローチャートである。
【図１３】機能割り当て動作のフローチャートである。
【図１４Ａ】撮影準備動作のフローチャート（その１）である。
【図１４Ｂ】撮影準備動作のフローチャート（その２）である。
【図１５Ａ】画面にタッチパネルの押し方、割り当てられた機能および設定値を表示する動作のフローチャート（その１）である。
【図１５Ｂ】画面にタッチパネルの押し方、割り当てられた機能および設定値を表示する動作のフローチャート（その２）である。
【図１６Ａ】タッチパネルのｘ座標に対応付けられた撮影のパラメータを表示する動作のフローチャート（その１）である。
【図１６Ｂ】タッチパネルのｘ座標に対応付けられた撮影のパラメータを表示する動作のフローチャート（その２）である。
【図１７Ａ】タッチパネルのｙ座標に対応付けられた撮影のパラメータを表示する動作のフローチャート（その１）である。
【図１７Ｂ】タッチパネルのｙ座標に対応付けられた撮影のパラメータを表示する動作のフローチャート（その２）である。
【図１８Ａ】タッチパネルを押した時間に対応付けられた撮影のパラメータを表示する動作のフローチャート（その１）である。
【図１８Ｂ】タッチパネルを押した時間に対応付けられた撮影のパラメータを表示する動作のフローチャート（その２）である。
【図１９Ａ】タッチパネルの押圧に対応付けられた撮影のパラメータを表示する動作のフローチャート（その１）である。
【図１９Ｂ】タッチパネルの押圧に対応付けられた撮影のパラメータを表示する動作のフローチャート（その２）である。
【符号の説明】
【００７５】
１      デジタルスチールカメラ（ＤＳＣ、カメラ）
４      液晶表示部
５      ファインダ
６      パワーＬＥＤ
９      選択／決定ボタン
１１      ＣＰＵ
１２      操作部
１３      ＲＯＭ
１４      ＲＡＭ
１５      ＬＣＤ
１６      外部Ｉ／Ｆ
１７      ファイル管理部
１８      記録媒体
１９      圧縮伸張エンジン
２０      タッチパネル
２１      撮像装置
３０      機能割り当て画面
【図１】
2006078663.tif 000003
【図２】
2006078663.tif 000004
【図３】
2006078663.tif 000005
【図４】
2006078663.tif 000006
【図５】
2006078663.tif 000007
【図６】
2006078663.tif 000008
【図７】
2006078663.tif 000009
【図８】
2006078663.tif 000010
【図９Ａ】
2006078663.tif 000011
【図９Ｂ】
2006078663.tif 000012
【図１０】
2006078663.tif 000013
【図１１】
2006078663.tif 000014
【図１２】
2006078663.tif 000015
【図１３】
2006078663.tif 000016
【図１４Ａ】
2006078663.tif 000017
【図１４Ｂ】
2006078663.tif 000018
【図１５Ａ】
2006078663.tif 000019
【図１５Ｂ】
2006078663.tif 000020
【図１６Ａ】
2006078663.tif 000021
【図１６Ｂ】
2006078663.tif 000022
【図１７Ａ】
2006078663.tif 000023
【図１７Ｂ】
2006078663.tif 000024
【図１８Ａ】
2006078663.tif 000025
【図１８Ｂ】
2006078663.tif 000026
【図１９Ａ】
2006078663.tif 000027
【図１９Ｂ】
2006078663.tif 000028